(57)【要約】      （修正有）【課題】パイプから放水覆いに導入された水の流れをスプレーネットで分散して平均的にスプレーできる、スプレーノズルの構造を提供する。【解決手段】放水覆い１０を備え、放水覆いは中空のもので、放水覆いの一端はパイプ２０に接続し、他の一端はカバー３０に被され、放水覆いとカバーの間にはスプレーネット３１が設けられてある。それの特徴は放水覆い内にスロート部１１を備え、スロート部の頂上端には水止め部を備え、水止め部１１１に近いスロート部には放水口１１２を備え、放水口の方向はスプレーネットに面する【選択図】図６
0003148954.tif 000002
【実用新案登録請求の範囲】
【請求項１】
スプレーノズルの構造であって、
放水覆い１０を備え、
前記放水覆い１０は中空構造を呈していて、放水覆い１０の一端はパイプ２０と結合し、他の一端はカバー３０が被着され、
放水覆い１０とカバー３０の間にはスプレーネット３１が設けられ、
前記放水覆い１０の一方にはスロート部１１を形成し、
前記スロート部１１の頂上端には水止め部１１１を形成し、
前記スロート部１１の水止め部１１１の近くには放水口１１２を形成し、
放水口１１２はスプレーネット３１に対面する方向の開口して形成され、
放水覆い１０の外壁底面には更に突起部１３を形成したことを特徴とする、
スプレーノズルの構造。
【請求項２】
前記放水覆い１０は更に拡大管１２を備え、拡大管１２と前記スロート部１１の放水口１１２は結合して連通し、かつ放水覆い１０と前記スプレーネット３１の間には水止めリング３１１が設けられてあることを特徴とする、請求項１記載のスプレーノズルの構造。
【請求項３】
前記カバー３０の内縁には内ねじ３０１を備え、前記放水覆い１０の拡大管１２は放水口１１２一端の外ねじ１２１を備える外縁に相異して結合し、外ねじ１２１は前記カバー３０の内ねじ３０１に締め付け緊迫することを特徴とする、請求項１記載のスプレーノズルの構造。
【考案の詳細な説明】
【技術分野】
【０００１】
本考案はスプレーノズルの構造に関するもので、特に液体を平均的にスプレーすることができるスプレーノズルの構造に関するものである。
【背景技術】
【０００２】
人々が園芸活動及び環境の清掃を行う場合、直接ホース（ｈｏｓｅ）で水をスプレーする外、よりよい散水範囲を達成するため、多くの人はホースの前端にスプレーノズルを取り付けている。
図１及び図２に示すように、従来のスプレーノズルは、放水覆い４０の一端から収束延伸してパイプ４１に連結される。放水覆い４０の他の一端はスプレーネット４２及びカバー４３と結合されている。放水覆い４０は両端を開放した中空構造である。
水は直接パイプ４１を経て放水覆い４０に進入する。水の流れは流動速度があるため、一旦放水覆い４０に流れ込むと、容易に放水覆い４０の内壁の上縁に沿ってスプレーネット４２に到達し、さらに水の流れがスプレーネット４２に接触すると阻止力が発生して水をスプレーネット４２の内表面に拡散する。最終的に水はスプレーネット４２のスプレー孔４２１から噴出する。
ところが、従来のスプレーノズルは、水を放水覆い４０の内壁上縁に沿ってスプレーネット４２まで流れるので、発生した阻止力が水の流れの速度を低下する。
そのために、図３Ａに示す如く、速度を失った一部の水の流れが重力によってスプレーネット４２の下半分に溜まり、それからスプレー孔からゆっくり流れ出すため、すべてのスプレー孔４２１から均等にスプレーすることができない。
すなわち、平均的に水をスプレーするという、本来の効果が達成することができない。
かつ図１から図３Ｂに示した周知のスプレイノズルは、不使用時において、放水覆い４０の外壁面に形成した掛け環４０１を図示しないフックに引っ掛けているが、スプレイノズルを引っ掛けるためのフックを個別に設置して固定しなければならない。また、一般にフックが随所に設置されているものでもないので、便利性が悪い。
【考案の開示】
【考案が解決しようとする課題】
【０００３】
本考案は以上の点に鑑みて成されたもので、その目的とするところは、パイプから放水覆いに導入された水の流れをスプレーネットで分散して平均的にスプレーできる、スプレーノズルの構造を提供するものである。
【課題を解決するための手段】
【０００４】
上記した目的を達成するため、本考案に係るスプレーノズルの構造は、放水覆いを備え、放水覆いは中空のもので、放水覆いの一端はパイプに接続し、他の一端はカバーに被され、放水覆いとカバーの間にはスプレーネットが設けられてある。それの特徴は放水覆い内にスロート部を備え、スロート部の頂上端には水止め部を備え、水止め部に近いスロート部には放水口を備え、放水口の方向はスプレーネットに面するものである。
【考案の効果】
【０００５】
本考案は放水覆いのスロート部に水止め部を備え、水止め部はパイプから送られた水の流れを固定位置及び方式をもって流し、水の流れを水止め部で制限して直接スプレーネットの四周（全周囲）に拡散できるので、水の流れを平均化して均等にスプレーできるという効果が得られる。
【考案を実施するための最良の形態】
【０００６】
図４から図７Ｂを参照しながらスプレーノズルの構造について説明する。
スプレーノズルは放水覆い１０を備える。
放水覆い１０は両端を開放した中空構造を呈する。
放水覆い１０の一端にはスロート部１１を備え、スロート部１１にパイプ２０が接続される。
水の流れはパイプ２０を経てスロート部１１に注入する。
放水覆い１０の他の一端にはカバー３０が螺着される。
カバー３０の内縁には内ねじ３０１が設けられる。
放水覆い１０とカバー３０の間にはスプレーネット３１が設けられ、スプレーネット３１と放水覆い１０の間には水止め環３１１が設けられる。
本考案の特徴は放水覆い１０のスロート部１１の頂上端に水止め部１１１を備えることである。
水止め部１１１に近いスロート部１１には放水口１１２を形成している。
放水口１１２の開放方向は、スプレーネット３１に面していて、スロート部１１に注入された水の流れが水止め部１１１に阻止されて、全部の水が放水口１１２から噴出するようになっている。
放水覆い１０は更に拡大管１２を含む。
拡大管１２とスロート部１１の放水口１１２は、互いに連通していて、放水口１１２から噴出した水の流れ（矢印は水の流れ方向を示す）が、最適なスプレー範囲が得られるように、直接スプレーネット３１に向けて噴出するようになっている。
放水覆い１０の拡大管１２の一端の外周面には、カバー３０の内ねじ３０１と螺合可能な外ねじ１２１が形成されていて、カバー３０を拡大管１２の一端に螺着できるようになっている。
スプレーネット３１と放水覆い１０の間には、止水用の水止め環３１１が設けられる。
放水覆い１０の外壁の底面には更に突起部１３が設けられている。
【０００７】
上記スロート部１１に注入された水の流れは、水止め部１１１に阻止されて全部の水が放水口１１２から噴出する。
放水覆い１０の拡大管１２とスロート部１１の放水口１１２は連通しているため、放水口１１２から噴出した水の流れ（矢印は水の流れ方向を示す）は、放水覆い１０の拡大管１２に接触することなく、直接スプレーネット３１に向けて噴きつられる。
そのため、水は本来の速度を保ち続けるため、充分な圧力で直接スプレーネット３１のスプレー孔３１２からスプレーされる。その結果、最適なスプレー範囲が達成される。
【０００８】
また、放水覆い１０に形成した突起部１３は、使用者がスプレーノズルを壁面、横棒等に掛けるときに使用できるため、スプレーノズルの保管に便利である。
【図面の簡単な説明】
【０００９】
【図１】従来のスプレーノズルの立体外観図である。
【図２】従来のスプレーノズルの縦断面図である。
【図３Ａ】従来のスプレーノズルの実施意表図である。
【図３Ｂ】従来のスプレー孔の局部拡大図である。
【図４】本考案の立体分解図である。
【図５】本考案の組み合わせ外観図である。
【図６】本考案の縦断面図である。
【図７Ａ】本考案のスプレーノズルの実施意表図である。
【図７Ｂ】本考案のスプレー孔の局部拡大図である。
【符号の説明】
【００１０】
１０      放水覆い
１１      スロート部
１１１      水止め部
１１２      放水口
１２      拡大管
１２１      外ねじ
１３      突起部
２０      パイプ
３０      カバー
３０１      内ねじ
３１      スプレーネット
３１１      水止め環
３１２      スプレー孔
４０      放水覆い
４０１      掛け環
４１      パイプ
４２      スプレーネット
４２１      スプレー孔
４３      カバー
【図１】
0003148954.tif 000003
【図２】
0003148954.tif 000004
【図３Ａ】
0003148954.tif 000005
【図３Ｂ】
0003148954.tif 000006
【図４】
0003148954.tif 000007
【図５】
0003148954.tif 000008
【図６】
0003148954.tif 000009
【図７Ａ】
0003148954.tif 000010
【図７Ｂ】
0003148954.tif 000011